(57)【要約】  【課題】中古車等の販売を仲介するシステムにおいて、商品を予め仕入れるリスクや、仕入れた商品を保管する場所の確保等の問題を解決できる販売仲介システムの提供。  【解決手段】本発明にかかる売買仲介システムは、商品の販売を希望する販売希望者と、商品の購入を希望する購入希望者との間で、商品の売買を仲介するシステムにおいて、販売希望者から入手した商品情報を登録する商品情報登録手段と、該情報記録手段に、販売希望者から入手した商品情報を入力する入力手段と、前記情報記録手段に保管された商品情報の少なくとも一部を、購入対象者へ紹介する紹介手段と、購入希望者から入力される購入希望情報を記録する購入希望情報記録手段と、商品情報の紹介を受けた購入対象者が購入を希望する場合に、前記購入希望情報記録手段に購入希望情報を入力する購入希望情報入力手段と、前記購入希望情報記録手段に入力された購入希望情報に基づいて購入希望者を決定する決定手段とを備え、運営者は、購入希望者が決まってから販売希望者と仲介交渉をすることを特徴とするものである。【選択図】      図１
2005115434.tif 000002
【特許請求の範囲】
【請求項１】
商品の販売を希望する販売希望者と、商品の購入を希望する購入希望者との間で、商品の売買を仲介するシステムにおいて、
販売希望者から入手した商品情報を登録する商品情報登録手段と、
該情報記録手段に、販売希望者から入手した商品情報を入力する入力手段と、
前記情報記録手段に保管された商品情報の少なくとも一部を、購入対象者へ紹介する紹介手段と、
購入希望者から入力される購入希望情報を記録する購入希望情報記録手段と、
商品情報の紹介を受けた購入希望者が購入を希望する場合に、前記購入希望情報記録手段に購入希望情報を入力する購入希望情報入力手段と、
前記購入希望情報記録手段に入力された購入希望情報に基づいて購入希望者を決定する決定手段とを備え、
運営者は、購入希望者が決まってから販売希望者との仲介交渉をすることを特徴とする売買仲介システム。
【請求項２】
販売希望者から得られた商品情報をインターネット経由で閲覧可能な状態に公開する公開手段と、
該公開手段にて公開された商品情報に関して、インターネットを介して接続した購入希望者のクライアントコンピュータから、購入希望金額とクライアント識別情報とを購入希望情報としてインターネット経由か入力されたときに、その購入希望情報を受信して記録する購入希望情報記録手段と、
前記購入希望情報記録手段に入力された購入希望情報に基づいて購入希望者を決定する決定手段とを備え、
運営者は、購入希望者が決まってから販売希望者との仲介交渉を可能としたことを特徴とする売買仲介サーバ。
【発明の詳細な説明】
【技術分野】
【０００１】
本発明は、インターネットを介した商品の売買を仲介するシステムに関するものである。
【背景技術】
【０００２】
従来より、インターネットを介した商品の売買システムとしては、電子モールシステムや、インターネットオークション等のシステムが実施されている。
特に、中古商品の売買においては、インターネットオークションが広く利用されるようになってきた。
インターネットオークションのシステムは、オークションサイトを運営する運営者と、商品を出品する出品者と、出品された商品のオークションに参加する参加者とによって運勢されるシステムであり、参加者の中で最高金額で応札して落札した人が落札者となり、落札金額を払って商品を入手する。
（例えば、特許文献１参照）
【０００３】
【特許文献１】特開平2003-208530号公報
【発明の開示】
【発明が解決しようとする課題】
【０００４】
ところが、上述したような従来のインターネットオークション等の売買システムは、出品者と参加者とがサーバを介して直接にやり取りするシステムであって、基本的には単なるサーバ管理費用としての手数料を徴収する程度であって、交渉作業を含んだ仲介業として成り立ちにくいものである。
一方、売買仲介の形態が成立しているものとしては、中古車販売がある。
中古車販売のシステムは、直接買い入れや、オークション経由で買い入れした車を査定して販売価格を設定し、購入希望者があると、価格交渉して販売するという形態である。  従って、販売業者が実際に入手した車を査定して販売するため、売れ残ったり、価格交渉が予定通りにできなかった場合には、販売業者に損失が発生する危険性がある。また、入手した車を保管する場所が必要である。
【０００５】
そこで、本発明は、中古車等の販売を仲介するシステムにおいて、商品を予め仕入れるリスクや、仕入れた商品を保管する場所の確保等の問題を解決できる販売仲介システムの提供を目的としてなされたものである。
【課題を解決するための手段】
【０００６】
本発明にかかる請求項１の売買仲介システムは、
商品の販売を希望する販売希望者と、商品の購入を希望する購入希望者との間で、商品の売買を仲介するシステムにおいて、
販売希望者から入手した商品情報を登録する商品情報登録手段と、
該情報記録手段に、販売希望者から入手した商品情報を入力する入力手段と、
前記情報記録手段に保管された商品情報の少なくとも一部を、購入対象者へ紹介する紹介手段と、
購入希望者から入力される購入希望情報を記録する購入希望情報記録手段と、
商品情報の紹介を受けた購入対象者が購入を希望する場合に、前記購入希望情報記録手段に購入希望情報を入力する購入希望情報入力手段と、
前記購入希望情報記録手段に入力された購入希望情報に基づいて購入希望者を決定する決定手段とを備え、
運営者は、購入希望者が決まってから販売希望者と仲介交渉をすることを特徴とするものである。
【０００７】
本発明の請求項２の売買仲介サーバは、
販売希望者から得られた商品情報をインターネット経由で閲覧可能な状態に公開する公開手段と、
該公開手段にて公開された商品情報に関して、インターネットを介して接続した購入希望者のクライアントコンピュータから、購入希望金額とクライアント識別情報とを購入希望情報としてインターネット経由か入力されたときに、その購入希望情報を受信して記録する購入希望情報記録手段と、
前記購入希望情報記録手段に入力された購入希望情報に基づいて購入希望者を決定する決定手段とを備え、
運営者は、購入希望者が決まってから販売希望者と仲介交渉を可能とすることを特徴としている。
【発明の効果】
【０００８】
本発明にかかる請求項１の売買仲介システムによれば、情報記録手段に販売希望者から入手した商品情報を入力し、紹介手段によってその少なくとも一部を購入対象者へ紹介して、購入希望者が購入希望情報記録手段を用いて購入希望情報を入力すると、運営者は、購入希望者と販売希望者との間での商品の売買を仲介できるので、商品を仕入れることなく、購入希望者への販売を仲介することができ、金銭的なリスクや保管場所の準備から免れるという効果が得られる。
【０００９】
請求項２の売買仲介サーバによれば、販売希望者から得られた商品情報を、公開手段によってインターネット経由で閲覧可能な状態に公開し、該公開手段にて公開された商品情報に関して、購入希望者のクライアントコンピュータから購入希望情報が入力されると、運営者は、購入希望者と販売希望者との間での商品の売買を仲介できるので、商品を仕入れることなく、購入希望者への販売を仲介することができ、金銭的なリスクや保管場所の準備から免れるという効果が得られる。
【発明を実施するための最良の形態】
【００１０】
以下に、本発明にかかる売買仲介システムを、その実施の形態を示した図面に基づいて詳細に説明する。
１は商品情報登録手段としての登録サーバであり、キーボードを備えたパソコンと、スキャナやデジタルカメラのデータの読み取り装置を備えている。
前記登録サーバ１は、前記キーボード、データ読み取り装置等を入力手段１１として、種々の商品情報を登録・保存する商品情報登録手段である。
即ち、販売を希望する商品を所有している販売希望者からの希望に基づいて、運営者側の営業担当者等が、前記商品の商品情報を前記登録サーバ１に登録し、データを保存するのである。
商品情報は、商品名、商品型式名、型式番号、製造番号、製造年月、仕様、外観写真、内部機関状況等、所感等のコメント、特記事項等を含んでいる。
【００１１】
２は商品情報をインターネット上で公開するための公開サーバであり、前記登録サーバ１に登録された商品情報から選択された情報が、インターネット経由で閲覧可能な状態で保存されている。この公開サーバ２は紹介手段に対応している。
この公開サーバ２の構成は、トップページと、会員登録ページと、商品別ページと、会員情報修正ページ等から構成されている。
予め登録された会員は会員トップページにおいてＩＤとパスワードを入力することでログインする。
【００１２】
未登録の人は会員トップページから新規登録のための会員登録ページへ入る。
会員登録ページでは、仕組みの説明及び入会方法の説明が表示され、続いて表示される利用規定に同意すると会員登録情報の入力画面に切り換わる。会員登録情報を入力した後確認して登録作業が完了する。オンラインで購入手続を可能とするためには、管理者の承認を受けてＩＤとパスワードの発行を受ける必要がある。このような会員登録情報は登録サーバ１の方に保存する。
商品別ページは、例えば、新着商品一覧、バックホウ大型、バックホウミニ、発電機、コンプレッサ、ブルトーザ、車両、その他等の各ページに別れている。
アクセスした会員は、各商品の詳細を閲覧して、購入希望商品に関してはオファー入力画面に切り替えてオファー情報を入力することができる。
以上の登録サーバ１と公開サーバ２とは、特許請求の範囲に記載された売買仲介サーバに相当する構成である。登録サーバ１と公開サーバ２とは、個別のサーバとして表現しているが、同一装置内に、独立して設定された記憶エリアで構成することができることはいうまでもない。
【００１３】
３は購入を希望する会員のクライアントコンピュータであり、前記会員としてのＩＤとパスワードを用いて、インターネットを経由して前記公開サーバ２にアクセスし、商品別ページから各個別の商品の詳細な商品情報を閲覧することができる。このクライアントコンピュータ３は購入希望情報入力手段に対応している。
購入を検討するような商品があった場合には、オファーページへ進む。
オファーページにおいては、さらに詳細な商品情報を閲覧できるので、購入を希望する場合には、インターネットを介して購入希望情報を入力する。購入希望情報には、購入希望する対象の商品情報、購入希望者のＩＤ等の認証情報、購入希望価格等が含まれている。このような購入希望情報は、購入希望者が複数いる場合には複数の購入希望情報が入力される。このような購入希望情報は、購入希望情報記録手段４に保存される。このような購入希望情報記録手段４は、前記登録サーバ１もしくは公開サーバ２の何れかに設定してもよい。
【００１４】
購入希望情報記録手段４に記録された複数の購入希望情報から、自動的に、もしくは操作者が交渉相手を選択する。このとき、一般的には、自動的に最高価格を登録した購入希望者を選択するが、操作者がその他の条件を勘案して選択する場合もある。このように購入希望者を自動的に選択する、自動選択プログラムが前記登録サーバ１もしくは公開サーバ２の何れかに書き込まれている。自動選択プログラムが書き込まれている前記登録サーバ１もしくは公開サーバ２が決定手段に対応している。
このようにして選択された購入希望者が登録した購入希望価格に基づいて、種々の費用や手数料及び仲介利益等を勘案して仲介希望価格を算定する。このような仲介希望価格を自動的に算定する自動算定プログラムが前記登録サーバ１もしくは公開サーバ２の何れかに書き込まれている。なお、仲介希望価格は交渉担当者が決定してもよい。
設定した仲介希望価格を販売希望者に提示して交渉する。
必要に応じて、購入希望者との間で購入希望価格を調整する場合もある。
【００１５】
購入希望価格に基づいた仲介希望価格を提示した交渉が、販売希望者と妥結した場合には、販売価格、仲介購入価格がそれぞれ決定される。また、支払い条件や引き渡し条件等を確認して決定される。このとき、購入希望者は購入者となり、販売希望者は販売者となる。
【００１６】
以上のような仲介条件が決定した後に初めて、当該商品の引き取り作業へ移行する。
例えば、売買仲介契約が成立した後、引き取り日と積込み港への搬入のための配車を指示するとともに、必要書類等の作成・準備がなされ、購入者よりの代金入金を確認後、指定の港への船積み手配を行う。その後仲介購入代金を、運営者より販売者へ支払う。
このようにして、商品は販売者から輸出港を経由して購入者側へ輸送される。このとき、前記運営者の保管場所等は経由しない。また、売買仲介契約は、購入希望者が名乗り出て、購入希望者と運営者との間の販売価格と、運営者と販売希望者との間の仲介購入価格が妥結後に締結される。そして、実際の支払は、販売代金が購入者から運営者へ支払われその中から仲介購入代金が販売者へ支払われる。
【００１７】
このようにして、運営者においては、販売先が決定していない状態で商品を引き取る必要がないのと、購入者よりの商品代金の入金確認後の船積みのため、金銭的なリスクが少ない。また商品を自社の保管場所に保管する必要がないので、保管経費等の無駄が無い。
また、販売希望者においては、複数の購入希望者の中から、価格等を勘案して最適な条件を選択して販売することができるというメリットがある。
また、購入希望者は、具体的な商品の商品情報を確認して購入を希望することができるので納得できる。
【００１８】
公開サーバにおいて閲覧可能な状態に公開されるとともに、個別の希望者へ電子メールで商品情報を配布することもできる。
【実施例１】
【００１９】
登録サーバ１に管理者権限でログインした場合のメニューの構成例を図２に示し、購入希望者がクライアントコンピュータから公開サーバ２にログインした場合のメニューの構成例を図３に示して説明する。
【００２０】
図２に示したように、当該売買仲介システムの運営者側のオペレータが管理者権限でログインすると、まず、管理画面トップページが表示され、そこに表示されたメニューを選択することによって、会員一覧表示、会員新規登録、商品一覧表示、商品新規登録、オファー一覧表示、オファー新規登録、営業担当別売上照会、会員別売上照会、会員情報照会、商品グループ別売上照会、進捗状況照会等の各処理へ進むことができる。
そして、会員一覧の処理においては会員詳細修正・削除の処理ができ、商品一覧の処理においては商品詳細修正・削除の処理ができ、オファー一覧の処理においてはオファー詳細修正・削除の処理ができ、営業担当別売上照会の処理においては営業担当別売上一覧の表示ができ、会員別売上照会の処理においては営業担当別失注一覧の表示ができる。
【００２１】
図３に示したように、購入希望者がクライアントコンピュータから公開サーバ２にログインすると、まず、会員トップページが表示され、そこに表示されたメニューを選択することによって、会員規約表示、新着商品一覧、バックホウ大型、バックホウミニ、発電機、コンプレッサ、ブルトーザ、車両、その他、問い合わせフォーム、会員情報修正等の各処理へ進むことができる。
会員規約表示の処理から新規会員登録、登録情報確認、会員登録完了等の処理へ進むことができる。
なお、新着商品一覧、バックホウ大型、バックホウミニ、発電機、コンプレッサ、ブルトーザ、車両、その他の処理画面を閲覧して購入を希望する商品が見つかった場合には、オファー入力処理へ進み、商品詳細を確認してオファー（購入希望情報）を入力することができる。
【００２２】
そして、前記問い合わせフォームに記入した後、確認画面が表示され、確認後に完了画面が表示される。また、会員情報修正画面に修正情報を記入した後、確認画面が表示され、確認後に完了画面が表示される。
会員登録後は登録メンバーとなり、上記新着商品一覧、バックホウ大型、バックホウミニ、発電機、コンプレッサ、ブルトーザ、車両、その他、問い合わせフォーム、会員情報修正等の各処理へ進むことができる。
【００２３】
図４に、新着商品一覧を表示させた状態の画面例を示した。
図中、４１は商品写真、４２は商品名、４３は商品仕様等の情報であり、これらの情報で商品情報４０が構成されている。
図５に、オファー入力画面の例を示した。
図中、５１はオファー対象の購入希望商品の商品写真等の商品情報４０の表示欄、５２は購入希望者の識別情報等の記入欄、５３は購入希望金額等の購入条件記入欄である。
【００２４】
以下に、国内の事業所が、建設機械のバックホーを処分する必要が発生した場合を例にとって、図１の手順(1)〜(7)を参照して説明する。
まず、運営者の営業社員が前記事業所を訪問して、前記バックホーの写真をデジタルカメラで撮影すると共に、前記バックホーのメーカや製造番号等の諸元を聞き取り、外観や機械の状態を確認する。（手順(1)参照）
前記営業社員が持ち帰った商品情報を整理して、登録サーバ１に登録するとともに、販売希望価格が前記事業所から提示された場合には、販売希望価格も登録する。（手順(2)参照）
次に、登録サーバ１に登録された商品情報の中から、その内容を責任者が確認・承認を行い、販売希望価格等の不都合な情報を除いて、商品の写真、メーカ、製造番号、機械の状況を説明するコメント等を、公開サーバ２の公開データエリアにコピーする。（手順(3)参照）
【００２５】
海外の購入希望者は予め公開サーバ２にアクセスして、図３に示したように、会員トップページから会員規約表示へ進み、納得した後、新規会員登録を済ませておく。
ここで、会員メンバーとして、識別番号（ＩＤ番号）とパスワードが設定・登録される。
【００２６】
購入希望者がクライアントコンピュータから前記公開サーバ２にアクセスし、会員ログイン画面で、予め登録された識別番号（ＩＤ番号）とパスワードを入力すると、前記新着商品一覧等の画面で、購入可能な商品の商品情報を閲覧できる。（手順(4)参照）
閲覧した商品のなかに購入を希望するものがあると、オファー入力画面に進んで商品詳細を確認した上で購入希望情報を入力する。（手順(5)参照）
このような購入希望情報は、同一商品に対して、複数の購入希望者がそれぞれ入力することができる。ただし、一つの商品に対して同一人物が複数のオファーはできない。もちろん、前記購入希望情報は、同一人物本人のみが修正可能である。
【００２７】
以上のようにして入力された購入希望情報は、管理者権限でログインしたオペレータが確認する。そして、最高金額の購入希望価格を入力した購入希望者が、自動的に選択される。前記購入希望価格に、運送費用、保管費用、保険費用、各種手数料、および利益相当額を差し引いて、仲介希望価格を算定する。（手順(6)参照）
営業担当者は、前記算定された仲介希望価格を以て販売希望者との間での交渉を開始する。（手順(7)参照）
なお、前記選択された購入希望者の購入希望情報に基づいた仲介希望価格では交渉が妥結しなかった場合には、順次、別の購入希望者が提示した購入希望情報に基づいた仲介希望価格を算定して販売希望者と交渉し、交渉を妥結させる。
【００２８】
交渉が妥結して購入希望者からの受注の決定によって、購入希望者は購入者となり、販売希望者は販売者となり、購入者への販売価格と、販売者から運営者への仲介価格とが決定され、当該商品の売買の仲介の契約を締結し、当該商品の引き取り、輸出手続等を行う。そして、引き渡し日や場所等を確認して輸出する。
また、購入者からの販売価格相当額の支払いを受けて、仲介価格相当額を販売者へ支払う。このようにして、取引が完了する。
【図面の簡単な説明】
【００２９】
【図１】本発明にかかる売買仲介システムの実施の形態の構成を示した構成図である。
【図２】本発明にかかる売買仲介サーバの管理者用のページの構成図である。
【図３】前記売買仲介サーバの会員用のページの構成図である。
【図４】前記会員用のページの一例の画面構成図である。
【図５】前記会員用のページの一例の画面構成図である。
【符号の説明】
【００３０】
１    商品情報登録手段、登録サーバ
１１  入力手段
２    紹介手段、公開手段、公開サーバ
１、２  売買仲介サーバ
３    クライアントコンピュータ、購入希望情報入力手段
４    購入希望情報記録手段
【図１】
2005115434.tif 000003
【図２】
2005115434.tif 000004
【図３】
2005115434.tif 000005
【図４】
2005115434.tif 000006
【図５】
2005115434.tif 000007